(57)【特許請求の範囲】
【請求項１】
ヘッドボックス（１２）とヘッドボックス（１２）の下方で昇降可能となった遮蔽材（１８）とを有するブラインドの前記ヘッドボックス（１２）から垂下された操作コード（１４）を備え、該操作コード（１４）の移動により遮蔽材（１８）の昇降動作を可能にするブラインドの操作装置において、
前記操作コード（１４）には、操作者が把持可能となったグリップ（２２、４２）が取り付けられ、該グリップ（２２、４２）は、前記操作コード（１４）が挿通するグリップケース（２３、４３）と、該グリップケース（２３、４３）内に配置され操作コード（１４）に係合及び係合解除可能なストッパー（２４、４４、４４−２）とを備えており、
該ストッパー（２４、４４、４４−２）は、前記グリップケース（２３）が操作コードに対して回転されるか、または前記グリップケース（４３）内から外方へと突出する押圧部（４７、４７−２）が押圧または押圧解除されることで、操作コード（１４）に係合または係合解除可能となっており、
グリップ（２２、４２）は、ストッパーに係合された操作コード（１４）と共に移動して遮蔽材（１８）の昇降動作を可能にすることを特徴とするブラインドの操作装置。
【請求項２】
前記ストッパー（２４）は、
グリップケース（２３）に対して回転可能且つその回転軸が固定となった滑車（２６）と、
滑車（２６）に対して前記操作コード（１４）を挟んで対向し、グリップケース（２３）の操作コード（１４）に対する角度に応じて、操作コード（１４）の移動と共に転動可能となった移動コロ（２８）と、
前記移動コロ（２８）を滑車（２６）に接近または離反する方向に誘導する誘導部（３０）と、
を備える、請求項１記載のブラインド操作装置。
【請求項３】
前記ストッパー（４４、４４−２）は、
グリップケース（４３）内で固定され、挟持面（４８ａ、４８−２ａ）を有する固定部（４８、４８−２）と、
固定部（４８、４８−２）の挟持面（４８ａ、４８−２ａ）に対して、操作コード（１４）を挟んで対向する挟持面（４６ａ、４６−２ａ）を有し、該挟持面（４６ａ、４６−２ａ）が固定部（４８、４８−２）の挟持面（４８ａ、４８−２ａ）に対して接近または離反する方向に可動となった可動部（４６、４６−２）と、
可動部（４６、４６−２）を、その挟持面（４６ａ、４６−２ａ）が固定部（４８、４８−２）の挟持面（４８ａ、４８−２ａ）に接近または離反する方向のいずれか一方方向に付勢する付勢部材（５０、５０−２）と、
前記グリップケース（４３）内から外方へと突出して、前記可動部（４６、４６−２）を、付勢部材（５０）に抗してその挟持面（４６ａ、４６−２ａ）が固定部（４８、４８−２）の挟持面（４８ａ、４８−２ａ）に接近または離反する方向のいずれか他方方向へと押圧する操作が可能となった押圧部（４７、４７−２）と、
を備える、請求項１記載のブラインド操作装置。
【請求項４】
ヘッドボックス（１２）とヘッドボックス（１２）の下方で昇降可能となった遮蔽材（１８）とを有するブラインドの前記ヘッドボックス（１２）から垂下された操作コード（１４）に取り付けられるべきブラインド操作用グリップであって、
操作コード（１４）が挿通され、操作者が把持可能となったグリップケース（２３、４３）と、
グリップケース（２３、４３）内に配置されて、グリップへの操作により、操作コード（１４）に係合及び係合解除可能となったストッパー（２４、４４、４４−２）と、
を備え、
該ストッパー（２４、４４、４４−２）は、前記グリップケース（２３）が操作コードに対して回転されるか、または前記グリップケース（４３）内から外方へと突出する押圧部（４７、４７−２）が押圧または押圧解除されることで、操作コード（１４）に係合または係合解除可能となっており、
ストッパーに係合された操作コード（１４）と共に移動して遮蔽材（１８）の昇降動作を可能にするブラインド操作用グリップ。
【発明の詳細な説明】
【０００１】
【発明の属する技術分野】
本発明は、ブラインドの遮蔽材の昇降動作を操作するブラインドの操作装置に関し、特にその操作性が向上されたブラインドの操作装置、及びブラインド操作用のグリップに関する。
【０００２】
【従来の技術】
従来のブラインドにおいて横型ブラインドを例にとって説明すると、従来の横型ブラインドは、ヘッドボックスと、ヘッドボックスから垂下する梯子状のラダーコードによって整列状態に支持される多数のスラット（遮蔽材）と、ラダーコードの下端部が連結されると共に昇降コードの一端が固定されるボトムレールと、を有している。昇降コードの他端側は、スラット群を挿通し、ヘッドボックス内に導入され、ヘッドボックス内においてヘッドボックスの一方側の端部付近まで導かれ、ストッパーを介してヘッドボックスから外方に導出されており、この昇降コードがブラインドの操作装置を構成している。
【０００３】
前記昇降コードの他端を下方に引くことにより、前記ボトムレールを上昇させ、前記ラダーコードによって支持されたスラット列を下方から順次畳み込むことによって、スラットを上昇させることができる。また、昇降コードの他端を操作してストッパーを作動させることで、スラットを任意の位置で停止させることも可能であり、または、昇降コードの他端を操作して、ストッパーを解除させることでボトムレール及びスラット列の自重によりスラットを下降させることができる。
【０００４】
【発明が解決しようとする課題】
このように、ブラインドの遮蔽材の昇降動作は昇降コードの他端を操作することによって行われるが、径の細い昇降コードを直接手で握って操作するために、その操作性が必ずしも良好でないという課題がある。特に、ブラインドの製品寸法が大きいものは、昇降コードを操作する際の荷重が大きくなり、手に非常に負担がかかり、小さな子供やお年寄りには操作が難しいという問題がある。また、操作者の手をすり抜けて昇降コードが移動する場合に、昇降コードと操作者の手との間で摩擦熱が生じ、操作者に不快感を与えるおそれがあるという課題もある。
【０００５】
また、操作する際に触れる昇降コードの部分が特定の部分に集中しやすいため、その部分だけ汚れが目立ってきてしまうという課題もある。
【０００６】
本発明はかかる課題に鑑みなされたもので、その目的は、操作荷重が大きい場合でも操作がしやすく、操作コードの汚れも防止することができるブラインドの操作装置を提供することである。
【０００７】
また、本発明の他の目的は、ブラインドの操作荷重が大きい場合でも操作がしやすく、操作コードの汚れも防止することができる、ブラインド操作用のグリップを提供することである。
【０００８】
【課題を解決するための手段】
前述した目的を達成するために、請求項１記載の発明によるブラインドの操作装置は、ヘッドボックスとヘッドボックスの下方で昇降可能となった遮蔽材とを有するブラインドの前記ヘッドボックスから垂下された操作コードを備え、該操作コードの移動により遮蔽材の昇降動作を可能にするブラインドの操作装置において、前記操作コードには、操作者が把持可能となったグリップが取り付けられ、該グリップは、前記操作コードが挿通するグリップケースと、該グリップケース内に配置され操作コードに係合及び係合解除可能なストッパーとを備えており、
該ストッパーは、前記グリップケースが操作コードに対して回転されるか、または前記グリップケース内から外方へと突出する押圧部が押圧または押圧解除されることで、操作コードに係合または係合解除可能となっており、グリップは、ストッパーに係合された操作コードと共に移動して遮蔽材の昇降動作を可能にする。
【０００９】
ブラインドを操作する場合には、操作コードに取り付けられたグリップのストッパーと操作コードとを係合させる。これにより、操作コードとグリップとが一体化されるので、グリップを手で持って下方または上方に移動させて、操作コードを移動させることにより、ブラインドの遮蔽材の昇降動作を行わせることができる。グリップを十分下方に引っ張った後、さらに操作コードを下方へ引っ張る必要があるときには、グリップのストッパーと操作コードとの係合を解除し、グリップを操作コードに対して移動可能にする。次いで、グリップを操作コードの上方へと移動させた後、再び、グリップのストッパーと操作コードとを係合させると、グリップと操作コードとが一体化するので、グリップを下方へ動かすことで、操作コードを下方に引っ張ることができる。必要があれば、この動作を何度か繰り返せば良い。また、通常、不使用時には、グリップのストッパーと操作コードとを係合させておけば、グリップは操作コードに固定されて、次の操作時にすぐグリップを握って、ブラインドの操作をすることができる。
【００１０】
グリップは、操作コードの径よりも大きく、また手で持ちやすい任意の形状にすることができるため、握りやすく力がかけやすいものとすることができ、操作荷重が大きい製品でもその操作が容易となる。また、操作コードに手をほとんど触れずにすむため、操作コードの汚れも防止することができる。
【００１１】
請求項２記載の発明は、請求項１記載の前記ストッパーが、グリップケースに対して回転可能且つその回転軸が固定となった滑車と、滑車に対して前記操作コードを挟んで対向し、グリップケースの操作コードに対する角度に応じて、操作コードの移動と共に転動可能となった移動コロと、前記移動コロを滑車に接近または離反する方向に誘導する誘導部と、を備える。滑車と移動コロとで操作コードを挟むことにより、ストッパーと操作コードとが係合して、グリップと操作コードとが一体化される。また、グリップケースを操作コードに対して回転させると共に操作コードを移動コロが滑車から離反するような方向に移動させると、移動コロと滑車との間の挟持が緩み、且つ移動コロが操作コードに追随して、離反する方向へと転動するので、ストッパーと操作コードとの係合が解除される。グリップケースを操作コードに対して回転させることにより、簡単にグリップのストッパーと操作コードとの係合及び係合解除を行うことができる。
【００１２】
請求項３記載の発明は、請求項１記載の前記ストッパーが、グリップケース内で固定され、挟持面を有する固定部と、固定部の挟持面に対して、操作コードを挟んで対向する挟持面を有し、該挟持面が固定部の挟持面に対して接近または離反する方向に可動となった可動部と、可動部を、その挟持面が固定部の挟持面に接近または離反する方向のいずれか一方方向に付勢する付勢部材と、前記グリップケース内から外方へと突出して、前記可動部を、付勢部材に抗してその挟持面が固定部の挟持面に接近または離反する方向のいずれか他方方向へと押圧する操作が可能となった押圧部と、を備える。固定部の挟持面と可動部の挟持面とで、操作コードを挟むことにより、ストッパーと操作コードが係合して、グリップと操作コードとが一体化される。また、可動部の挟持面を固定部の挟持面から離反させることで、ストッパーと操作コードとの係合が解除される。押圧部を押圧または押圧解除することで、簡単にグリップのストッパーと操作コードとの係合または係合解除を行うことができる。
【００１３】
請求項４記載の発明は、ヘッドボックスとヘッドボックスの下方で昇降可能となった遮蔽材とを有するブラインドの前記ヘッドボックスから垂下された操作コードに取り付けられるべきブラインド操作用グリップであって、
操作コードが挿通され、操作者が把持可能となったグリップケースと、  グリップケース内に配置されて、グリップへの操作により、操作コードに係合及び係合解除可能となったストッパーと、を備え、
該ストッパーは、前記グリップケースが操作コードに対して回転されるか、または前記グリップケース内から外方へと突出する押圧部が押圧または押圧解除されることで、操作コードに係合または係合解除可能となっており、
ストッパーに係合された操作コードと共に移動して遮蔽材の昇降動作を可能にする。
【００１４】
【発明の実施の形態】
以下、図面を用いて本発明の実施の形態を説明する。
【００１５】
図１は本発明のブラインドの実施形態を表す全体図である。ブラインドとしては、横型ブラインド、プリーツスクリーン、ローマンシェード等の任意のブラインドに適用することができるが、この実施形態では、横型ブラインドを例にとって説明する。
【００１６】
図示した横型ブラインド１０は、壁面または天井面にブラケット１１を介して取り付けられるヘッドボックス１２を有しており、ヘッドボックス１２内の図示しないラダーコード支持装置から垂下する梯子状のラダーコード１６によって、多数段のスラット１８（遮蔽材）が傾動可能に支持されている。
【００１７】
ラダーコード１６の下端は、最下段のスラット１８の下方に配置されるボトムレール２０に連結される。また、ボトムレール２０には、複数の昇降コード１４の一端が連結固定されている。各昇降コード１４の他端は、スラット１８列を挿通し、ヘッドボックス１２内に導入され、ヘッドボックス１２内においてヘッドボックス１２の一方側の端部付近まで導かれ、ストッパー１９を介してヘッドボックス１２から外方に導出されており、コード止め１５に連結されている。また、コード止め１５には、補助コード１７の一端が連結され、補助コード１７の他端はボトムレール２０に連結されている。
【００１８】
上記ヘッドボックス１２の一方側の端部から外方に導出された複数の昇降コード１４が、本実施形態においてブラインドの操作装置を構成している。そして、このヘッドボックス１２から外方に導出された昇降コード１４には、グリップ２２が取り付けられている。
【００１９】
図２に示すように、グリップ２２は、操作者が握り易いように、昇降コード１４より大きい寸法で所望の形状をなしたグリップケース２３を有しており、グリップケース２３は、互いに嵌め合わされた前ケース２３Ａと後ケース２３Ｂとからなっている。グリップケース２３の上面側と下面側には、昇降コード１４挿通用の挿通孔２３ａ、２３ａが形成されており、各挿通孔２３ａは、グリップケース２３の面に沿って延びる長孔となっている。
【００２０】
図３ないし図５に示すように、グリップケース２３内には、ストッパー２４が配置される。ストッパー２４は、グリップケース２３に保持されるホルダー２５と、ホルダー２５にピン２７によって軸支されて、グリップケース２３に対して回転可能且つ回転軸が固定となった滑車２６と、滑車２６に対して昇降コード１４を挟んで対向し、昇降コード１４と共に転動可能となった移動コロ２８と、移動コロ２８の転動を誘導する誘導部３０と、を有している。滑車２６と移動コロ２８の外周面には、それぞれローレットが形成されており、誘導部３０の移動コロ２８との接触面３０ａにもローレットが形成されている。誘導部３０の移動コロ２８との接触面３０ａは、移動コロ２８が接触面３０ａ上を転動すると、滑車２６に接近する方向または滑車２６から離反する方向に移動するように移動コロ２８を誘導する。さらに、移動コロ２８が滑車２６から離反する位置において、移動コロ２８のそれ以上の離反を阻止する規制枠３２がホルダー２５に取り付けられている。
【００２１】
図３に示すように、移動コロ２８が滑車２６から離反した位置においては、移動コロ２８と滑車２６との間には隙間が形成され、この隙間を昇降コード１４が通過することができ、ストッパー２４と昇降コード１４との係合は解除されている。これに対して、図５に示すように、移動コロ２８が滑車２６に接近した位置においては、移動コロ２８と滑車２６との間で昇降コード１４を挟み付けており、ストッパー２４と昇降コード１４とは係合している。
【００２２】
以上のように構成されるブラインド操作装置においてその作用を説明する。スラット１８を昇降動作させる場合に、まず、グリップ２２が図５に示す状態にあるとすると、移動コロ２８と滑車２６との間で昇降コード１４を挟み付けており、ストッパー２４と昇降コード１４とは係合されている。よって、グリップ２２を握って下方に引っ張ることにより、昇降コード１４を下方に引っ張ることができる。従って、スラット１８を上昇させたい場合には、グリップ２２を握って下方へ引っ張ると、グリップ２２と共に昇降コード１４の他端が下方へ引っ張られるので、ボトムレール２０が上昇し、スラット１８列が下方から順次畳み込まれて、スラット１８が上昇する。スラット１８が所望の高さに達したときに、ストッパー１９に昇降コード１４を締結させると、スラット１８はその高さを維持する。
【００２３】
さらに、スラット１８を上昇させたい場合には、グリップ２２をさらに下方へ引っ張れば良いが、このときグリップ２２が下方へと移動し過ぎているときには、一旦、グリップ２２のストッパー２４と昇降コード１４との係合を解除するとよい。解除を行うには、図５において、グリップケース２３を昇降コード１４に対して時計回りに回転させながら若干上方へ持ち上げると、昇降コード１４が滑車２６から離反して、滑車２６と移動コロ２８との間の挟持力が低下すると共に、移動コロ２８は、昇降コード１４の相対移動に追随して誘導部３０の接触面３０ａに沿って滑車２６から離反する方向へと転動し、昇降コード１４とストッパー２４との係合が解除される（図３）。よって、昇降コード１４を通過させながら、グリップ２２のみを持ち上げて適宜の高さまで移動させることができる。次いで、グリップ２２を昇降コード１４に対して反時計回りに回転させながら若干下方へ引っ張ると、移動コロ２８は、昇降コード１４に接近すると共に昇降コード１４の相対移動に追随して、誘導部３０の接触面３０ａに沿って滑車２６へと接近する方向へと転動し（図４参照）、再び、昇降コード１４が移動コロ２８と滑車２６とに挟み付けられて、ストッパー２４に係合される（図５）。この状態で、グリップ２２を下方に引くと、昇降コード１４の他端を一緒に下方へ移動させることができるようになる。
【００２４】
また、スラット１８を下降させたい場合には、グリップ２２のストッパー２４が昇降コード１４と係合している状態で、グリップ２２を操作してストッパー１９を解除する。ボトムレール２０及びスラット１８列の自重により、昇降コード１４の他端は上方へと移動し、スラット１８は下降する。このとき、操作者は、グリップ２２のストッパー２４と昇降コード１４とを係合させた状態で、グリップ２２を昇降コード１４と共に上方へ移動させてもよいし、または、グリップ２２のストッパー２４と昇降コード１４との係合を解除した状態で、昇降コード１４をグリップ２２に通過させてもよい。後者の場合、所望の高さまでスラット１８が下降したら、グリップ２２を昇降コード１４に対して反時計回りに回転させながら下方へ引っ張って、グリップ２２のストッパー２４と昇降コード１４とを係合させた後、グリップ２２を操作して、ストッパー１９に昇降コード１４を締結させると、スラット１８は、そのときの高さで停止する。停止中は、グリップ２２の自重によって、グリップ２２は、昇降コード１４に対して相対的に下降しようとするが、移動コロ２８が昇降コード１４と共に滑車２６に接近する方向へと付勢され、昇降コード１４の締付けをより一層強める力となるので、結果としてグリップ２２は昇降コード１４に取り付けられた状態を維持することができる。また、グリップ２２は、ストッパー２４が昇降コード１４の係合を解除された状態にあっても、コード止め１５によってそれ以上の下降が阻止されるため、グリップ２２が落下するようなことはない。
【００２５】
次に、図６ないし図８は、本発明の第２実施形態によるグリップを表す図である。図において、第１実施形態と同一の部材は同一の符号を付して、その詳細説明を省略する。
【００２６】
このグリップ４２は、操作者が握り易いように、昇降コード１４より大きい寸法で所望の形状をなしたグリップケース４３を有しており、グリップケース４３は、互いに嵌め合わされた前ケース４３Ａと後ケース４３Ｂとからなっている。グリップケース４３上面側と下面側には、昇降コード１４挿通用の挿通孔４３ａ、４３ａが上下に形成されており、上面側の挿通孔４３ａは、グリップケース４３の面に沿って延びる長孔となっている。
【００２７】
図７及び図８に示すように、グリップケース４３内には、ストッパー４４が配置される。ストッパー４４は、グリップケース４３に対して可動となった可動部４６と、グリップケース４３内で固定された固定部４８とを有している。固定部４８はローレットが形成された挟持面４８ａを有しており、可動部４６は、昇降コード１４を挟んで固定部４８の挟持面４８ａと対向し、ローレットが形成された挟持面４６ａを有している。
【００２８】
可動部４６は、グリップケース４３内の傾斜案内面４５に沿ってスライド可能となっており、その一端部が、前記上面側の挿通孔４３ａからグリップケース４３外へと突出した押圧部４７となっている。また、傾斜案内面４５から突設されたスプリング受け４５ａと、可動部４６に設けられたスプリング受け部４６ｃとの間にはスプリング５０が介挿されており、このスプリング５０が常時、可動部４６の挟持面４６ａを固定部４８の挟持面４８ａに対して離反させる方向へ、即ち、押圧部４７を外方へと突出させる方向に付勢している。
【００２９】
以上のように構成されるグリップにおいては、操作者の指で押圧部４７をグリップケース４３内へと押圧することにより、その可動部４６の挟持面４６ａが固定部４８の挟持面４８ａに接近し、挟持面４６ａと挟持面４８ａとの間で、昇降コード１４を挟み付けるようになっている。この状態で、ストッパー４４は昇降コード１４と係合する。従って、第１実施形態と同様に、昇降コード１４を直接持たずに、グリップ４２を握ることで、従来と同様のブラインド操作を行うことができるようになる。また、押圧部４７の押圧を解除すれば、スプリング５０によって自動的に可動部４６の挟持面４６ａが固定部４８の挟持面４８ａから離反し、ストッパー４４と昇降コード１４との係合は解除される。
【００３０】
図９は、本発明の本発明の第３実施形態によるグリップを表す図である。図において、第２実施形態と同一の部材は同一の符号を付して、その詳細説明を省略する。第２実施形態のグリップ４２のストッパー４４においては、可動部４６の挟持面４６ａが常時、固定部４８の挟持面４８ａから離反する方向に付勢されていたが、本実施形態のグリップ４２のストッパー４４−２では、スプリング５０−２によって、可動部４６−２の挟持面４６−２ａが常時、固定部４８−２の挟持面４８−２ａに接近する方向に付勢されている点で異なり、また、第２実施形態では、可動部４６の一端部に押圧部４７が形成されていたが、本実施形態では、可動部４６−２と押圧部４７−２とが別部品となっている点で異なっている。押圧部４７−２の内方端にはカム面４７−２ａが形成されており、このカム面４７−２ａが可動部４６−２の端部に形成されたカム面４６−２ｂに摺接している。
【００３１】
以上のように構成されるグリップ４２においては、常時は、スプリング５０−２によって、可動部４６−２の挟持面４６−２ａが固定部４８−２の挟持面４８−２ａに接近し、挟持面４６−２ａと挟持面４８−２ａとの間で、昇降コード１４を挟み付けるようになっている。この状態でストッパー４４−２は昇降コード１４と係合する。従って、前実施形態と同様に、昇降コード１４を直接持たずに、グリップ４２を握ることで、従来と同様のブラインド操作を行うことができるようになる。また、操作者の指で押圧部４７−２をグリップケース４３内へと押圧することにより、押圧部４７−２のカム面４７−２ａが可動部４６−２のカム面４６−２ｂを押圧して、可動部４６−２の挟持面４６−２ａを固定部４８−２の挟持面４８−２ａから離反させて、ストッパー４４−２と昇降コード１４との係合は解除される。
【００３２】
ストッパーの形態としては、以上の実施形態で説明した以外に他の構成が可能である。
【００３３】
以上説明したように、上記各実施形態によれば、グリップ２２、４２は、昇降コード１４の径よりも大きく、そのグリップケースを所望の大きさに且つ握りやすく、力のかけやすい形状にすることができて、ブラインドの操作荷重が大きい場合でも、その操作がしやすくなる。
【００３４】
また、昇降コード１４にほとんど手を触れずに操作できるため、昇降コードの汚れを防止することができる。グリップ２２、４２が汚れた場合でも、コードとは異なり、掃除を行いやすい。また、このグリップ２２、４２は、そのグリップケース２３、４３を分解し、またはストッパー２４、４４（４４−２）を解除した状態で昇降コード１４をグリップケース２３、４３から引抜きまたは挿通させることにより、グリップ自体を交換して、新しいものに変えることができる。ブラインドとは別に、グリップのみを販売することも可能であり、既存の従来のブラインドに取り付けることも可能である。グリップケース２３、４３のデザインを工夫することで、ブラインド全体の意匠性も向上させることができる。
【００３５】
また、第１実施形態の場合のグリップ２２においては、グリップを回転させ、第２実施形態及び第３実施形態の場合のグリップ４２においては、グリップの押圧部を押圧するだけで、グリップのストッパーと昇降コードとの係合及び係合解除ができるため、その操作が非常に簡単である。
【００３６】
【発明の効果】
以上説明したように、本発明によれば、グリップは、操作コードの径よりも大きく、また手の持ちやすい任意の形状にすることができるため、握りやすく力がかけやすい形状とすることができ、操作荷重が大きい製品でもその操作が容易となる。また、操作コードに直接手を振れずにすむため、操作コードの汚れも防止することができる。
【図面の簡単な説明】
【図１】本発明のブラインドの一例を表す全体斜視図である。
【図２】第１実施形態によるグリップと昇降コードを表す斜視図である。
【図３】図２のグリップの内部を表す断面図であり、グリップのストッパーと昇降コードとの係合が解除された状態を表す図である。
【図４】図２のグリップの内部を表す断面図であり、グリップのストッパーと昇降コードとが係合される途中状態を表す図である。
【図５】図２のグリップの内部を表す断面図であり、グリップのストッパーと昇降コードとが係合されて下方へ引っ張られた状態を表す図である。
【図６】第２実施形態によるグリップと昇降コードを表す斜視図である。
【図７】図６のグリップの内部を表す断面図であり、グリップのストッパーと昇降コードとの係合が解除された状態を表す図である。
【図８】図６のグリップの内部を表す断面図であり、グリップのストッパーと昇降コードとが係合された状態を表す図である。
【図９】第３実施形態によるグリップの内部を表す断面図であり、グリップのストッパーと昇降コードとが係合された状態を表す図である。
【符号の説明】
１２  ヘッドボックス
１４  昇降コード（操作コード）
１８  スラット（遮蔽材）
２２、４２  グリップ
２３、４３  グリップケース
２４、４４、４４−２  ストッパー
２６  滑車
２８  移動コロ
３０  誘導部
４６、４６−２  可動部
４６ａ、４６−２ａ  挟持面
４７、４７−２  押圧部
４８、４８−２  固定部
４８ａ、４８−２ａ  挟持面
５０、５０−２  スプリング（付勢部材）
【図１】
0003853160.tif 000002
【図２】
0003853160.tif 000003
【図３】
0003853160.tif 000004
【図４】
0003853160.tif 000005
【図５】
0003853160.tif 000006
【図６】
0003853160.tif 000007
【図７】
0003853160.tif 000008
【図８】
0003853160.tif 000009
【図９】
0003853160.tif 000010